(57)【要約】【課題】帽子の天の構造に改良を加え、中折れ帽の中折れ部分の形状を長時間に亘り維持可能な天の構造を開示すると共に、型崩れせず、見栄えの良い帽子を提供する。【解決手段】帽子の天となる所定形状の表地と、当該表地と同じ形状の第１芯地と、その形状が当該第１芯地より一回り小さく前記表地及び第１芯地の周縁に縫い代を残すような形状の１乃至複数枚の第２芯地とからなり、それらを順に重ねて貼着して帽子の天の構造を形成するという手段を採用した。また、帽子の構造として、上述した構造を有する天を用いて縫製し、熱プレスによって形成した中折れ部を天に有するという手段を採用した。【選択図】図１
2015121003.tif 000002
【特許請求の範囲】
【請求項１】
帽子の天となる所定形状の表地と、当該表地と同じ形状の第１芯地と、その形状が当該第１芯地より一回り小さく前記表地及び第１芯地の周縁に縫い代を残すような形状の１乃至複数枚の第２芯地とからなり、それらを順に重ねて貼着することを特徴とする帽子の天の構造。
【請求項２】
各芯地の貼着は、芯地の片面又は両面に設けた接着剤を介して行う請求項１記載の帽子の天の構造。
【請求項３】
接着剤が熱可塑性接着剤である請求項２記載の帽子の天の構造。
【請求項４】
上記第２芯地に貼着しないで重ねて、上記表地と同じ形状の裏地をさらに有する請求項１から請求項３のいずれか１項記載の帽子の天の構造。
【請求項５】
裏地が表地より大きく、天及び地上（ヂガミ）の裏側を覆う形状である請求項４記載の帽子の天の構造。
【請求項６】
請求項１から請求項５のいずれか１項に記載の構造を有する天を用いて縫製し、熱プレスによって形成した中折れ部を天に有することを特徴とする帽子。
【発明の詳細な説明】
【技術分野】
【０００１】
この発明は、いわゆる中折れ帽の天部分の構造、及び、その構造を有する天を採用した帽子に関する。
【背景技術】
【０００２】
従来、クラウンの天部分の中央を前後方向に折り込んだ形状を有するソフト帽、いわゆる中折れ帽が、比較的フォーマルな帽子として広く愛用されている。
【０００３】
ソフト帽の一般的な構成を図３に示す。帽子は、基本的に、頭部を覆うクラウン部とその周縁に拡がる鍔（庇）部とから構成されるが、図３において、１１はクラウン部の基体を形成する地上（ヂガミ）、１２は頭頂部を形成する天である。１３は鍔を形成する円で、円１３と地上１１とは、腰１４という帯布で接続される。また、腰１４の接続部にはワタリ１５が設けられる。円１３の周縁端部は円へり１６で保護され、腰１４の内側の頭部と直接接する部分には、図示しないビン皮が設けられている。
【０００４】
そして、中折れ帽では、通常、クラウン部の天１２の中央を前後方向に折り込んだ形状の中折れ部１７を形成すると共に、地上（ヂガミ）１１の前側左右に一対の窪み１８、１８を形成し、前方向にやや尖った形状として、帽子全体の見栄えを良くすると共に、該部を親指、人差し指、及び中指の３本の指でつまんで、帽子の脱着を容易としている。また、該部は、帽子の脱着のたびにつまむため、その型崩れを防止するために、例えば特許文献１では、Ｖ状弾性材を填入止着するようにした帽子も提案されている。
【０００５】
なお、この種の帽子は、柔軟な素材であるフェルト生地や綿生地などで各部材を構成すると共に、それらを互いに縫製して帽子を形成することが多い。
【先行技術文献】
【特許文献】
【０００６】
【特許文献１】実開平６−２０４２８号公報
【発明の概要】
【発明が解決しようとする課題】
【０００７】
しかしながら、従来の中折れ帽の天１２は、通常、表地と裏地を重ね合わせるだけであったから、製造時に型押しによって中折れ部１７を形成しても、フェルト生地や綿生地などの柔軟な素材で形成された帽子は、長年の使用により、時間と共にその天１２の中折れ部１７の前後方向に窪んだ形状の維持が困難となり、帽子をかぶったときに天１２が上方に突出してしまうという不都合が生じ、見栄えが悪いものとなっていた。
【０００８】
本発明は、かかる不都合を解消すべくなされたもので、帽子の天の構造に改良を加え、中折れ帽の中折れ部分の形状を長時間に亘り維持可能な天の構造を開示すると共に、型崩れせず、見栄えの良い帽子を提供することを目的としている。
【課題を解決するための手段】
【０００９】
上記課題を解決するため、本発明は、帽子の天となる所定形状の表地と、当該表地と同じ形状の第１芯地と、その形状が当該第１芯地より一回り小さく前記表地及び第１芯地の周縁に縫い代を残すような形状の１乃至複数枚の第２芯地とからなり、それらを順に重ねて貼着して帽子の天の構造を形成するという手段を採用した。
【００１０】
また、各芯地の貼着は、芯地の片面又は両面に設けた接着剤を介して行うという手段を採用した。
【００１１】
そして、接着剤が熱可塑性接着剤であるという手段を採用した。
【００１２】
また、上記第２芯地に貼着しないで重ねて、上記表地と同じ形状の裏地をさらに有するという手段を採用した。
【００１３】
また、この裏地が表地より大きく、天及び地上（ヂガミ）の裏側を覆う形状であるという手段を採用した。
【００１４】
また、帽子の構造として、上述した各手段のいずれかの構造を有する天を用いて縫製し、熱プレスによって形成した中折れ部を天に有するという手段を採用した。
【発明の効果】
【００１５】
上記構成に係る帽子の天の構造によれば、表地の裏面に、表地と同じ形状の第１芯地と、それより一回り小さい第２芯地とを貼着しているので、貼り重ねた天は、コシが強く、帽子を形成する際に型押しする中折れ形状を長期間に亘って維持可能となる。
【００１６】
また、第２芯地を一回り小さな形状としたことで、縫い代部分の生地の厚さを薄くすることができるので、ミシン等による縫製が容易となる利点がある。
【００１７】
また、各芯地を接着剤により貼り合わせることで、接着剤の硬化により、貼り重ねた天に賦形しやすく、さらにその賦形形状を長期に亘り維持することができる。この場合、芯地の位置により、その片面又は両面に接着剤を設けることができる。
【００１８】
特に、熱可塑性の接着剤を用いた場合には、賦形が容易であり、その形状の維持効果も高い。
【００１９】
なお、裏地は上記芯地に貼着するものではないが、その大きさは、必ずしも天の大きさに合わせる必要はなく、表地と同じ形状としても良いし、又は、より大きくして、天及び地上（ヂガミ）を覆うようにすれば、内側全体を裏地で覆った美麗な帽子を提供できる。
【００２０】
また、上述した各構成からなる天を用いて帽子を縫製し、天に熱プレスによって中折れ形状を形成した場合、その天の中折れ形状の変形が防止されるので、型崩れがなく見栄えの良い帽子を提供することができる。
【図面の簡単な説明】
【００２１】
【図１】天を構成する部材の重なりを説明する分解斜視図である。
【図２】裏地を省略した天の裏側を示す底面図である
【図３】一般的なソフト帽の斜視図である。
【発明を実施するための形態】
【００２２】
以下、本発明に係る帽子の天の構造、及び、その構造を有する天を採用した帽子の好ましい実施形態を添付した図面に従って説明する。図１において、１は帽子の天の表地であり、例えば前側が先細の略卵型の形状をしている。この表地１は、帽子の外観を形成するものであり、例えばフェルト地や綿生地などの柔軟な素材で構成する。２は第１芯地で、上記表地１と同じ形状を有し、表地１の裏面全面に貼着する。この第１芯地２の素材は特に限定するものではないが、平織りした合成樹脂繊維生地等からなり、比較的硬めのコシがある生地が好ましい。
【００２３】
この第１芯地２を表地１の裏面に貼着する手段は特に限定するものではなく、通常は適宜な接着剤を第１芯地２の片面の全面に塗布するなどして行う。また、その接着剤の種類も特に限定するものではなく、表地等の種類に応じて従来公知のものを適宜選択できる。即ち、接着材の種類によっては塗布以外の手段により貼着することもある。
【００２４】
なお、接着剤として、例えば熱可塑性接着剤を用いれば、冷えた接着剤が硬化することで、重ねた生地のコシがより強くなり、形状維持に資する。また、実際には、あらかじめ大判の表地１と第１芯地２を貼り合わせた後、型枠等により所望の略卵型の形状に裁断する。
【００２５】
次に、３、３は第２芯地で、上記表地１及び第１芯地２より一回り小さい相似形で、同様に略卵型の形状を有している。この第２芯地３、３は、上述した表地１と第１芯地２とを貼り合わせた素材の裏面中央部に、１乃至複数枚を重ねて貼着する。即ち、図２に示すように、この第２芯地３を貼り重ねたときに、周縁に所定幅の縫い代５を残すように貼着する。このようにしたのは、これらの天を構成する生地群は、下述する裏地４と共に、その周縁を地上（ヂガミ）の上周縁に縫着するのであるが、仮に同じ大きさの芯地２、３を複数枚重ねて貼着すると、地上（ヂガミ）との縫着部分の生地の厚みが厚くなって、縫着が困難となることを防止するためである。よって、図２に示すように、周縁に所定幅の縫い代５を残すことで、縫着線６は、表地１と第１芯地２のみの厚さ部分で縫着することが可能となり、ミシン等による縫製が容易である一方、中心部は複数枚の芯地２、３が重なっているので、厚みがありコシが強くなり、賦形しやすく、型押しした場合には変形せず、その形状を長期に亘って維持することができる。
【００２６】
なお、図１では第２芯地３を２枚、使用しているが、これに限定するものではなく、例えば、表地１の厚さにより、表地１が薄い生地の場合には１枚、表地１が厚い場合には２枚又は３枚等を貼着するなど、生地の厚さに応じて所望の枚数を重ねて貼着する。これにより、天の厚みやコシの強さを調整することができる。
【００２７】
なお、この第２芯地３の貼着手段も特に限定するものではなく、前記と同様に適宜な接着剤を全面塗布するなどして行う。この場合、中間に位置する第２芯地３には，表裏両面に接着剤を塗布などすることが可能である。
【００２８】
４は裏地であり、少なくとも上記表地１と同じ大きさ、形状を有し、上記第１芯地２、及び、第２芯地３を覆うように全面に設け、最終的にはこれら重ねた生地を地上（ヂガミ）に縫着する。なお、裏地４は芯地２、３には貼着しない。また、裏地は省略することもある。さらに、必要に応じて、天のほか、地上（ヂガミ）の裏側も裏地４で覆う場合には、表地１より大きな相応の大きさ、形状とする。これにより、内側全部が裏地で覆われたが美麗な帽子を提供できる。なお、この裏地４の素材は、表地１と同じでも良く、また、従来から用いている柔軟な生地を使用する。
【００２９】
上記構造を有する天を用いて帽子を縫製するのであるが、基本的な作業は従来と変わるところはない。即ち、上記構造の天、及び、地上（ヂガミ）、腰、円などの部材を順次縫製して帽子を形成する。次に、熱プレス等の型押し機によりクラウン部分の形状を整える。このとき、中折れ帽の場合には、クラウンの天の中央を前後方向に折り込んだ形状に成形する（図３参照）のであるが、天が、表地１と裏地４の間に第１芯地２と第２芯地３を接着剤を用いて挟んだ構造であるので、型押しにより形成する中折れ部分は、所望の形に形成した後、その形状を長期に亘って維持可能となる。そのため、変形などによる型崩れを防止し、見栄えの良い帽子を提供することができる。
【００３０】
また、第２芯地３、３は、天より一回り小さい大きさとして、周縁に縫い代を残しているので、天の周縁の厚みは従来と変わらず、地上（ヂガミ）との縫合が容易であり、従来の帽子の縫製工程をそのまま採用できる。
【符号の説明】
【００３１】
１    表地
２    第１芯地
３    第２芯地
４    裏地
５    縫い代
６    縫合線
１１    地上（ヂガミ）
１２    天
１３    円
１４    腰
１５    ワタリ
１６    円へり
１７    中折れ部
１８    窪み
【図１】
2015121003.tif 000003
【図２】
2015121003.tif 000004
【図３】
2015121003.tif 000005